(57)【要約】 【課題】  木製や鉄製の重くて体積の大きいインテリア商品を、コンパクトに折り畳み、また、軽量化することにより、収納や移動をし易くする。【解決手段】面1〜4で構成され、各面が接する辺で折り畳みができる筒型4角柱Ｑ１であって、ひとつの辺から対角線の辺に対して、対角線の長さの筋交い面５を設け、上記の辺が接する辺に対して、回動出来る様に接続し、他の対角の他辺はフリーにすることにより、筋交い面と直角方向に筒型４角柱が折り畳めるようにしたことを特徴とするインテリアの折り畳みユニット。【選択図】  図１
2014023812.tif 000002
【特許請求の範囲】
【請求項１】
面1〜4で構成され、各面が接する辺で折り畳みができる筒型4角柱Ｑ１であって、ひとつの辺から対角線の辺に対して、対角線の長さの筋交い面５を設け、上記の辺が接する辺に対して、回動出来る様に接続し、他の対角の他辺はフリーにすることにより、筋交い面と直角方向に筒型４角柱が折り畳めるようにしたことを特徴とするインテリア用のＰ１ユニット。
【請求項２】
Ｐ１ユニットの筋交い面を逆方向の対角線に設置した新たなＰ１aユニットとＰ１ユニットを並列的に貼り合わせれば、筋交いと同方向の圧力と上からの圧力に対して筋交いが作用し、形状は崩れることが無く、又筋交い面と直角方向に圧力を掛ければ、連続した筒型４角柱が折り畳まれて平らな形状になる事を特徴としたインテリア用のＰ２ユニット。
【請求項３】
ユニットＰ２と同じ形状のユニットＰ２aを並列的に貼り合わせる事により、筋交いと同方向の圧力と上からの圧力に対して筋交いが作用し、形状は崩れることが無く、また筋交い面と直角方向に圧力を掛ければ、連続した筒型４角柱が折り畳まれて平らな形状になる事を特徴としたインテリア用のＰ３ユニット。
【請求項４】
Ｐ１ユニットの筋交い面５の長さを筒型4角柱の対角線の長さから短く設ける事により、Ｐ１ユニットは傾斜し、筋交いと同方向の圧力に対して筋交いが作用し、形状は崩れることが無く、また筋交い面と直角方向に圧力を掛ければ、筒型４角柱が折り畳まれて平らな形状になることを特徴としたインテリア用のＰ４ユニット。
【請求項５】
Ｐ３ユニットの片方の端の上に、Ｐ４ユニットを貼りつけて設置すれば、椅子の形状になり、筋交い面と同方向の圧力と上から掛かる圧力に対して筋交いが作用し、形状は崩れることが無く、また筋交い面と直角の方向から圧力を掛ければ、椅子形状が折り畳まれて平らな形状になるインテリア用のＰ５ユニット。
【発明の詳細な説明】
【技術分野】
【０００１】
インテリア商品を折り畳み収納し、持ち運ぶ技術に関する。
【背景技術】
【０００２】
クッション、椅子、ベッド、座イスなどは重くてスペースを取り、折り畳んだり収納したり持ち運んだりするのは苦労が多い。
【先行技術文献】
【特許文献】
【０００３】
【特許文献１】特開２００４−３４４４３８公報
【発明の概要】
【発明が解決しようとする課題】
【０００４】
木製や鉄製の重くて体積の大きいインテリア商品を、コンパクトに折り畳み、また、軽量化することにより、収納や移動をし易くする。                          
【課題を解決するための手段】
【０００５】
面1〜4で構成され、各面が接する辺で折り畳みができる筒型4角柱Ｑ１であって、ひとつの辺から対角線の辺に対して、対角線の長さの筋交い面５を設け、上記の辺が接する辺に対して、回動出来る様に接続し、他の対角の他辺はフリーにすることにより、筋交い面と直角方向に筒型４角柱が折り畳めるようにしたことを特徴とするインテリア用のＰ１ユニット。
【０００６】
Ｐ１ユニットの筋交い面を逆方向の対角線に設置した新たなＰ１aユニットとＰ１ユニットを並列的に貼り合わせれば、筋交いと同方向の圧力と上からの圧力に対して筋交いが作用し、形状は崩れることが無く、又筋交い面と直角方向に圧力を掛ければ、連続した筒型４角柱が折り畳まれて平らな形状になる事を特徴としたインテリア用のＰ２ユニット。
【０００７】
ユニットＰ２と同じ形状のユニットＰ２aを並列的に貼り合わせる事により、筋交いと同方向の圧力と上からの圧力に対して筋交いが作用し、形状は崩れることが無く、また筋交い面と直角方向に圧力を掛ければ、連続した筒型４角柱が折り畳まれて平らな形状になる事を特徴としたインテリア用のＰ３ユニット。
【０００８】
Ｐ１ユニットの筋交い面５の長さを筒型4角柱の対角線の長さから短く設ける事により、Ｐ１ユニットは傾斜し、筋交いと同方向の圧力に対して筋交いが作用し、形状は崩れることが無く、また筋交い面と直角方向に圧力を掛ければ、筒型４角柱が折り畳まれて平らな形状になることを特徴としたインテリア用のＰ４ユニット。
【０００９】
Ｐ３ユニットの片方の端の上に、Ｐ４ユニットを貼りつけて設置すれば、椅子の形状になり、筋交い面と同方向の圧力と上から掛かる圧力に対して筋交いが作用し、形状は崩れることが無く、また筋交い面と直角の方向から圧力を掛ければ、椅子形状が折り畳まれて平らな形状になるインテリア用のＰ５ユニット。
【発明の効果】
【００１０】
クッション、椅子、ベッド、座イスなどのスペースを取る重い商品をコンパクトに収納したり簡単に持ち運んだりすることが出来る。
【図面の簡単な説明】
【００１１】
【図１】本発明の筋交い付き筒形４角柱の基本構造Ｐ１ユニットの構成(a)筋交い付き四角柱の基本形：Ｐ１ユニット  (b)Ｔ１の力を掛けた場合の折りたたみの経過図  (c)最も平坦になる折り畳み完了図
【図２】本発明の筋交い付き筒形４角柱の基本構造Ｐ２ユニットの構成(a)Ｐ１ユニットの筋交いを逆方向に設置し、接着面Ｓ１で貼り合わせた図：Ｐ２ユニット(b)Ｔ１、Ｔ２の力を加えた場合の折り畳みの経過図    (c)最も平坦になる折り畳み完了図
【図３】本発明の筋交い付き筒形４角柱の応用構造Ｐ３ユニットの構成(a)２つのＰ２ユニットを接着面Ｓ２で貼り合わせた図：Ｐ３ユニット  (b)折りたたみの経過図  (c)最も平坦になる折り畳み完了図
【図４】本発明の筋交い付き筒形４角柱の基本構造Ｐ４ユニットの構成(a)筋交いＡＤを短く調整し、四角柱の傾斜を大きくした図  (b)Ｔ２の力を掛けた場合の折り畳みの経過図    (c)最も平坦になる折り畳み完了図
【図５】本発明の筋交い付き筒形４角柱の応用構造Ｐ５ユニットの構成(a)Ｐ３ユニットの上に接着面Ｓ３でＰ４ユニットを貼り合わせたチェアーの形状図(b)Ｔ１、Ｔ２の力を掛けた場合の折り畳みの経過図  (c)最も平坦になる折り畳み完了図
【発明を実施するための形態】
【００１２】
図１は本発明の筋交い付き筒形４角柱の基本構造Ｐ１ユニットの構成である。
黒丸は回動できる印である。面１〜４で構成し、接する辺Ａ〜Ｄで回動出来る構造の筒形４角柱にＡ辺からＣ辺に向かう対角線の長さの筋交い面５を設ける。Ａ辺に於いて回動出来る様に接続し、接するＣ辺とは接続しない様にする。筋交い面と同方向のＴ１とＴ２の力に対して形状は崩れることがない。また、筋交い面と直角のＴ３方向の力に対しては、筋交い面５の接続していない辺が、接する辺Ｃから離れ、Ｐ１ユニットが（ｂ）の様に折り畳まれて、（ｃ）の様に平らな形状になる。ユニットを構成する素材としては、たとえば、ポリカーボネートや強化プラスチック、強化段ボール等の強度のある素材を使用し、４面の接合部及び筋交い面の接続部分は、たとえば蝶番を使用したり、強度のある樹脂のフィルムで接着し接続すれば、折り畳みが自由に出来、容易に平らな形状にすることが出来る。
【００１３】
図２は本発明の筋交い付き筒形４角柱の基本構造Ｐ２ユニットの構成である。
ユニット１の筋交い面を逆方向の対角線に設置した新たなＰ１ユニットaを、接着面Ｓ１で貼り合わせれば、筋交い面と同方向のＴ１、Ｔ２と上方向からのＴ５から掛かる圧力に対して筋交いが作用し、形状は崩れることが無く、また筋交い面と直角のＴ３、Ｔ４から圧力を掛ければ、連続した筒型４角柱（Ｐ２ユニット）が（ｂ）の様に折り畳まれて、（ｃ）の様に平らな形状にすることが出来る。
【００１４】
図３は本発明の筋交い付き筒形４角柱の応用構造Ｐ３ユニットの構成である。
Ｐ２ユニットと同じ形状のＰ２ユニットを接着面Ｓ２で並列的に貼り合わせると、筋交い面と同方向のＴ１，Ｔ２と上方向からのＴ５から掛かる圧力に対して４本の筋交いが互いに作用し合い、形状は崩れることが無く、筋交い面と直角の方向Ｔ３，Ｔ４から圧力を掛ければ、連続した筒型４角柱が（ｂ）の様に折り畳まれて（ｃ）の様に平らな形状にする事が出来る。この様にユニットを貼り足していけば、ユニットの長さを長くし、体積の大きいインテリア製品をコンパクトに折り畳むことが出来る。
【００１５】
図４は本発明の筋交い付き筒形４角柱の基本構造Ｐ４ユニットの構成である。
Ｐ１ユニットの筋交い面５のＡ辺からＣ辺の長さを筒型4角柱の元の対角線の長さから短くすれば、その分Ｐ１ユニットは傾斜し筒型４角柱（Ｐ４ユニット）になり、筋交い面と同方向のＴ１、Ｔ２からの圧力に対して筋交い辺が作用し、形状は崩れることが無く、筋交い面と直角の方向Ｔ３，Ｔ４から圧力を掛ければ、Ｐ４ユニットが（ｂ）の様に折り畳まれて（ｃ）の様に平らな形状にすることが出来る。
【００１６】
図５は本発明の筋交い付き筒形４角柱の応用構造Ｐ５ユニットの構成。
ユニット3の3面の上に、接着面Ｓ３でＰ４ユニットの4面を貼りつけて設置すれば、椅子の形状になり、筋交い面と同方向のＴ１、Ｔ２と上方向からのＴ５から掛かる圧力に対して５本の筋交い面が作用し、形状は崩れることがない。また筋交い面と直角の方向Ｔ３，Ｔ４から圧力を掛ければ、椅子形状のＰ５ユニット全体が（ｂ）の様に折り畳まれて、（ｃ）の様に平らな形状にすることが出来る。この様に体積の大きいインテリア製品をコンパクトに折り畳むことが出来る。
【産業上の利用可能性】
【００１７】
本発明の折りたたむ構造は、クッション、椅子、ベッド、座イスなど一般的な商品に広く応用することが出来、軽量、省スペースの利点がある商品を供給することが出来る。  
【符号の説明】
【００１８】
１，２，３，４，５，６，７，８      ４角柱面
５，９                              筋交い面
Ａ、Ｅ                              接着回動辺
Ｂ，Ｃ，Ｄ，Ｆ，Ｇ，Ｈ              辺
Ｔ１、Ｔ２                          筋交い面と同じ方向の力
Ｔ３，Ｔ４                          筋交い面と逆方向の力
Ｔ５                                上方向からの力
Ｓ１、Ｓ２，Ｓ３                    接着する面
【図１】
2014023812.tif 000003
【図２】
2014023812.tif 000004
【図３】
2014023812.tif 000005
【図４】
2014023812.tif 000006
【図５】
2014023812.tif 000007